(57)【要約】【課題】ハフニウムを含む高誘電体膜からなるゲート絶縁膜を備えた電界効果トランジスタにおいて、シリコン基板とゲート絶縁膜との界面における界面準位密度を低減し、ゲート絶縁膜におけるキャリアの移動度を高めることにある。【解決手段】ＨｆＳｉＯＮまたはＨｆＡｌＯｘなどのハフニウムを含む薄膜に対して、自然界に存在する重水素と水素との比率よりも大きな比率で重水素を含有させた高誘電率の第２絶縁膜８を電界効果トランジスタのゲート絶縁膜として使用する。第２絶縁膜８は、ＡＬＤ法により成膜することが好ましい。【選択図】図１
2006066706.tif 000002
【特許請求の範囲】
【請求項１】
ハフニウムを含む高誘電体膜であって、前記高誘電体膜には、自然界に存在する重水素と水素との比率よりも大きな比率で重水素が含まれていることを特徴とする高誘電体膜。
【請求項２】
ハフニウムを含む高誘電体膜が、ハフニウム・シリコン・オキシナイトライド（ＨｆＳｉＯＮ）またはハフニウム・アルミネイト（ＨｆＡｌＯｘ）からなることを特徴とする請求項１記載の高誘電体膜。
【請求項３】
ソース領域およびドレイン領域が離間して設けられた半導体基板上に、少なくともハフニウムを含む高誘電体膜からなるゲート絶縁膜が設けられた電界効果トランジスタにおいて、前記ハフニウムを含む高誘電体膜からなるゲート絶縁膜に、重水素が含有され、前記重水素は、天然に存在する重水素と水素との比率となる、０．００５％よりも大きな比率の０．０５〜５０％含まれていることを特徴とする電界効果トランジスタ。
【請求項４】
前記半導体基板と前記ハフニウムを含む高誘電体膜からなるゲート絶縁膜との間に、酸化ケイ素膜または酸窒化ケイ素膜が設けられたことを特徴とする請求項３記載の電界効果トランジスタ。
【請求項５】
請求項３または４記載の電界効果トランジスタが、前記半導体基板に集積されていることを特徴とする半導体集積回路装置。
【請求項６】
基板を装填した処理室内部を真空にする工程Ａと、原料化合物を前記処理室内に導入し、前記基板表面に吸着させる工程Ｂと、余分の原料化合物と副生成物を前記処理室から排出する工程Ｃと、前記処理室内に酸化剤を導入して前記基板に吸着した原料化合物を酸化する工程Ｄと、余分な酸化剤と副生成物を前記処理室から排出する工程Ｅを有し、前記工程Ａから前記工程Ｅを繰り返す高誘電体膜の製造方法であって、
前記原料化合物が、ハフニウム化合物を含む１種以上の化合物であって、これら原料化合物を前記工程Ｂにおいてその種類毎に順次処理室内に導入し、
前記酸化剤として重水を用いることを特徴とする高誘電体膜の製造方法。
【請求項７】
基板を装填した処理室内部を真空にする工程Ａと、原料化合物を前記処理室内に導入し、前記基板表面に吸着させる工程Ｂと、余分の原料化合物と副生成物を前記処理室から排出する工程Ｃと、前記処理室内に酸化剤を導入して前記基板に吸着した原料化合物を酸化する工程Ｄと、余分な酸化剤と副生成物を前記処理室から排出する工程Ｅを有し、前記工程Ａから前記工程Ｅを繰り返す高誘電体膜の製造方法であって、
前記原料化合物が、ハフニウム化合物を含む１種以上の化合物であって、これら原料化合物を前記工程Ｂにおいてその種類毎に順次処理室内に導入し
前記酸化性ガスとして重水素と酸素または重水素とオゾンとを用いることを特徴とする高誘電体膜の製造方法。
【請求項８】
前記重水または前記重水素に含まれる金属不純物の総量が１ｗｔｐｐｍ以下であることを特徴とする請求項６または７記載の高誘電体膜の製造方法。
【発明の詳細な説明】
【技術分野】
【０００１】
この発明は、ハフニウムを含む高誘電体膜、この高誘電体膜を用いた電界効果トランジスタ（ＦＥＴ）、この電界効果トランジスタを基板に集積した半導体集積回路装置ならびに高誘電体膜の製造方法に関する。
【背景技術】
【０００２】
従来より、電界効果トランジスタのゲート絶縁膜として、酸化ケイ素膜よりも比誘電率の高い高誘電体膜を用い、ゲート絶縁膜の電気的な厚さを薄くし、駆動電流の向上とゲートリーク電流の低減を同時に実現しようとする試みがなされている。
このようなゲート絶縁膜としては、具体的には、ＳｉＯ２またはＳｉＯＮからなる第１絶縁膜と、前記第１絶縁膜上に形成されたＨｆＯ２、ＨｆＡｌＯｘ、ＨｆＳｉＯＮなどのハフニウムを含む高誘電体膜とからなる第２絶縁膜との組合せが提案されている。
【０００３】
そして、前記第２絶縁膜をなすハフニウムを含む高誘電体膜の製造は、原子層気相成長法（アトミックレイヤーデポジッション、ａｔｏｍｉｃ  ｌａｙｅｒ  ｄｅｐｏｓｉｔｉｏｎ、ＡＬＤ法）、ＭＯＣＶＤ法、スパッタ法などによって行われるが、なかでも厚さ、組成が均質な膜が得られるＡＬＤ法が多く採用されている。
前記ＡＬＤ法によって、例えばＨｆＡｌＯｘからなる高誘電体膜を成膜する方法の一例を以下に説明する。
【０００４】
まず、処理室内に基板を置き、前記処理室内を真空とする。ついで、ハフニウム源としてのテトラキス（エチルメチルアミノ）ハフニウム（ＴＥＭＡＨｆ）を短時間前記処理室内に供給し、そののち余分のＴＥＭＡＨｆと副生成物をパージして前記処理室内から排出する。つぎに、酸化剤としての水を短時間前記処理室内に供給したのち、余分の水と副生成物とをパージして前記処理室内から排出する。さらに前記処理室内にアルミニウム源としてのトリメチルアルミニウム（ＴＭＡ）を短時間供給したのち、パージして余分のＴＭＡと副生成物を排出する。
【０００５】
こののち、再度前記処理室内に酸化剤としての水を短時間供給し、過剰の水と副生成物とをパージする。これらハフニウム源、アルミニウム源、酸化剤は、アルゴンなどのキャリアガスによって前記処理室内に供給されるようになっている。これらの操作では、前記基板を３００℃程度に加熱しておき、反応が進行するようになっている。そして、この一連の操作を複数回繰り返すことで、所定の厚さのＨｆＡｌＯｘからなる高誘電体膜が得られる。
【０００６】
しかしながら、このようなハフニウムを含む高誘電体膜をゲート絶縁膜として備えた電界効果トランジスタにあっては、シリコン基板とゲート絶縁膜との界面での欠陥準位の密度；界面準位密度が高いという問題があり、このためゲート絶縁膜におけるキャリアの移動度や長期信頼性が熱酸化シリカ膜に比べて劣る欠点があった。
【０００７】
ところで、シリコン基板とシリカからなるゲート絶縁膜とに重水素を含有させて、ホットキャリア劣化を低減させる技術が米国特許第６１４３６３２号明細書に開示されている。
また、米国特許第６１８７６６５号明細書には、シリコン基板上に熱酸化によってシリカからなるゲート絶縁膜を形成し、前記ゲート絶縁膜のトラップサイトに重水素を含有させることにより、ゲート絶縁膜中にトラップされる電荷を増加させるホットキャリアがトラップサイトに蓄積することを防止し、デバイスを劣化させないようにする技術が開示されている。
このように、シリカからなるゲート絶縁膜に重水素を含有させて電界効果トランジスタの性能の改善を図ることは公知である。
【特許文献１】米国特許第６１４３６３２号明細書
【特許文献２】米国特許第６１８７６６５号明細書
【発明の開示】
【発明が解決しようとする課題】
【０００８】
本発明における課題は、ハフニウムを含む高誘電体膜からなるゲート絶縁膜を備えた電界効果トランジスタにおいて、シリコン基板とゲート絶縁膜との界面における界面準位密度を低減し、ゲート絶縁膜におけるキャリアの移動度を高めることにある。
【課題を解決するための手段】
【０００９】
かかる課題を解決するため、  
請求項１にかかる発明は、ハフニウムを含む高誘電体膜であって、前記高誘電体膜には、自然界に存在する重水素と水素との比率よりも大きな比率で重水素が含まれていることを特徴とする高誘電体膜である。
請求項２にかかる発明は、ハフニウムを含む高誘電体膜が、ハフニウム・シリコン・オキシナイトライド（ＨｆＳｉＯＮ）またはハフニウム・アルミネイト（ＨｆＡｌＯｘ）からなることを特徴とする請求項１記載の高誘電体膜である。
請求項３にかかる発明は、ソース領域およびドレイン領域が離間して設けられた半導体基板上に、少なくともハフニウムを含む高誘電体膜からなるゲート絶縁膜が設けられた電界効果トランジスタにおいて、前記ハフニウムを含む高誘電体膜からなるゲート絶縁膜に、重水素が含有され、前記重水素は、天然に存在する重水素と水素との比率となる、０．００５％よりも大きな比率の０．０５〜５０％含まれていることを特徴とする電界効果トランジスタである。
【００１０】
請求項４にかかる発明は、前記半導体基板と前記ハフニウムを含む高誘電体膜からなるゲート絶縁膜との間に、酸化ケイ素膜または酸窒化ケイ素膜が設けられたことを特徴とする請求項３記載の電界効果トランジスタである。
請求項５にかかる発明は、請求項３または４記載の電界効果トランジスタが前記半導体基板基板に集積されていることを特徴とする半導体集積回路装置である。
【００１１】
請求項６にかかる発明は、基板を装填した処理室内部を真空にする工程Ａと、原料化合物を前記処理室内に導入し、前記基板表面に吸着させる工程Ｂと、余分の原料化合物と副生成物を前記処理室から排出する工程Ｃと、前記処理室内に酸化剤を導入して前記基板に吸着した原料化合物を酸化する工程Ｄと、余分な酸化剤と副生成物を前記処理室から排出する工程Ｅを有し、前記工程Ａから前記工程Ｅを繰り返す高誘電体膜の製造方法であって、
前記原料化合物が、ハフニウム化合物を含む１種以上の化合物であって、これら原料化合物を前記工程Ｂにおいてその種類毎に順次処理室内に導入し、
前記酸化剤として重水を用いることを特徴とする高誘電体膜の製造方法である。
【００１２】
請求項７にかかる発明は、基板を装填した処理室内部を真空にする工程Ａと、原料化合物を前記処理室内に導入し、前記基板表面に吸着させる工程Ｂと、余分の原料化合物と副生成物を前記処理室から排出する工程Ｃと、前記処理室内に酸化剤を導入して前記基板に吸着した原料化合物を酸化する工程Ｄと、余分な酸化剤と副生成物を前記処理室から排出する工程Ｅを有し、前記工程Ａから前記工程Ｅを繰り返す高誘電体膜の製造方法であって、
前記原料化合物が、ハフニウム化合物を含む１種以上の化合物であって、これら原料化合物を前記工程Ｂにおいてその種類毎に順次処理室内に導入し
前記酸化性ガスとして重水素と酸素または重水素とオゾンとを用いることを特徴とする高誘電体膜の製造方法。
【００１３】
請求項８にかかる発明は、前記重水または重水素に含まれる金属不純物の総量が１ｗｔｐｐｍ以下であることを特徴とする請求項６または７記載の高誘電体膜の製造方法である。
【発明の効果】
【００１４】
本発明によれば、ハフニウムを含む高誘電体膜からなるゲート絶縁膜を備えた電界効果トランジスタにおいて、シリコン基板とゲート絶縁膜との界面における界面準位密度を低減し、ゲート絶縁膜におけるキャリアの移動度を高めることができ、電界効果トランジスタの性能を改善することができる。
【発明を実施するための最良の形態】
【００１５】
以下、本発明を詳しく説明する。
図１は、本発明の半導体集積回路装置の一例を示すもので、図中符号１はシリコン基板を示す。前記シリコン基板１には不純物が注入され、拡散層２が形成されている。また、前記シリコン基板１の素子分離領域４で分離された領域には、第１絶縁膜６と、前記第１絶縁膜６上の第２絶縁膜８とからなるゲート絶縁膜が形成されている。
【００１６】
前記第１絶縁膜６は、例えばＳｉＯ２、ＳｉＯＮなど構成され、厚さが１ｎｍ以下の薄膜であり、界面ゲート絶縁膜として機能するものである。
また、前記記第２絶縁膜８は、例えば、ＨｆＯ２、ＨｆＳｉＯＮ、ＨｆＡｌＯｘなどのハフニウムを含み、高誘電率を示す厚さ１．５〜３ｎｍの薄膜である。
前記ゲート絶縁膜上には、ポリシリコンからなるゲート電極１０が形成されている。
【００１７】
前記ゲート電極１０の側面にはサイドウォール１２が形成されている。前記サイドウォール１２はＳｉ３Ｎ４などから構成されている。
前記シリコン基板１の表面の前記ゲート電極１０より外側に、比較的不純物濃度が低い拡散層であるＳＤエクステンション１４が形成されている。また、前記シリコン基板１表面付近の前記ＳＤエスクテンション１４より外側で、かつ前記サイドウォール１２より外側部分に、比較的結合深さが深く、かつ不純物濃度が高い拡散層であるソース／ドレイン１６が形成されている。
【００１８】
さらに、前記シリコン基板１上には、前記ゲート電極１０、前記サイドウォール１２等を埋め込むようにして層間絶縁膜２０が堆積されている。また、前記層間絶縁膜２０には、これを貫通してソース／ドレイン１６に至るコンタクトプラグ２２が形成されており、前記コンタクトプラグ２２上には配線層２４が設けられている。
【００１９】
そして、この例では、前記第２絶縁膜８をなすハフニウムを含む高誘電体膜に、重水素が含有されている。前記重水素は、天然に存在する重水素と水素との比率；０．００５％よりも大きな比率、例えば０．０５〜５０％で含まれている。また、前記重水素は、前記薄膜を形成するハフニウム、ケイ素またはアルミニウムと水酸基の形で結合している水素の一部が重水素に置換された状態となっている。トランジスタを形成するプロセス中の熱処理により前記重水素の一部が基板側に拡散し、シリコン基板１と第１絶縁膜６との界面に存在するシリコン・ダングリングボンドを終端している。
【００２０】
つぎに、このような半導体集積回路装置の製造例について説明する。ここでは、ゲート絶縁膜をなす第２絶縁膜８の形成を周知のＡＬＤ法によって行うものを例示する。
まず、不純物を注入することにより拡散層２を形成したシリコン基板１上に、素子分離領域４を形成し、さらに各領域に分離したシリコン基板１の表面を希薄フッ酸を用いて洗浄する。希薄フッ酸処理後、図２に示すように、シリコン基板１上に第１絶縁膜６となるＳｉＯＮを成膜する。ここでは、Ｈ２もしくはＤ２とＮ２Ｏを用いてＳｉＯＮを成膜したが、熱酸化膜のプラズマ窒化や熱窒化膜の再酸化などの方法によって形成してもよい。
【００２１】
ついで、前記第１絶縁膜６上に第２絶縁膜８を成膜する。第１絶縁膜６を形成したシリコン基板１を処理室内に装填し、処理室内を真空とする。ついで、処理室内にテトラキス（エチルメチルアミノ）ハフニウム（ＴＥＭＡＨｆ）を１〜２秒間処理室内に供給する。
これにより、図３に示すように、基板１の第１絶縁膜６の表面にテトラキス（エチルメチルアミノ）ハフニウム（ＴＥＭＡＨｆ）の単分子層３０が化学吸着により形成される。つぎに、処理室内をパージして余分のＴＥＭＡＨｆと副生成物とを排出する。
【００２２】
次に、酸化剤として重水を処理室内に０．１〜０．３秒間供給したのち、パージして余分の重水と副生成物を処理室から排出する。続いて、処理室内にＮＨ３／Ａｒプラズマを発生させて活性種を供給したのち、処理室内をパージする。その後、処理室内にテトラメチルアルミニウム（ＴＭＡ）を１秒以下の時間供給し、処理室内をパージし、ついで重水を再度０．１〜０．３秒間供給する。こののち、処理室内をパージして余分の重水と副生成物を排出する。
【００２３】
以上の一連の操作を複数回繰り返して、図４に示すように、ＨｆＡｌＯｘからなる高誘電率の第２絶縁膜８を成膜する。
前記第２絶縁膜８には、約０．２ａｔ％の重水素が含まれていた。次に、希釈酸素雰囲気中で熱処理を行い、第２絶縁膜８を緻密化する。ここでは、０．２％希釈酸素雰囲気中で１０００℃、１秒間の急速熱処理を施した。熱処理後、基板界面付近には約０．０１ａｔ％の重水素が存在し、水素に対する重水素の比率は６％であった。
【００２４】
次に、図５に示すように、前記第２絶縁膜８上に、前記ゲート電極１０となるポリシリコン膜をＣＶＤ法により堆積する。公知のフォトリソグラフィ法とイオン注入法を用いて、ポリシリコン膜にゲート不純物を注入した後、図６に示すように、前記ポリシリコン膜をエッチングして所定の形状に加工して前記ゲート電極１０とする。このとき、前記第２絶縁膜８、前記第１絶縁膜６もエッチングし、前記第１絶縁膜６と前記第２絶縁膜８をゲート電極１０と同じ幅に加工する。
【００２５】
その後、前記ゲート電極１０をマスクとしてイオン注入を行い、接合深さの比較的浅い拡散層であるＳＤエクステンション１４を形成する。
つぎに、図７に示すように、前記ゲート電極１０の側面にサイドウォール１２を形成する。前記サイドウォール１２は、前記ゲート電極１０を埋め込むようにして、ＳｉＮ膜等を堆積した後、エッチバックを行い、ＳｉＮ膜を前記ゲート電極１０の側面にのみ残すようすることにより形成される。
【００２６】
次に、前記ゲート電極１０および前記サイドウォール１２をマスクとしてイオン注入を行い、前記シリコン基板１表面に不純物濃度の高い拡散層であるソース／ドレイン１６を形成する。その後、イオン注入した不純物を活性化するための活性化アニールを行う。
【００２７】
その後、前記ゲート電極１０、前記サイドウォール１２等を埋め込むようにして前記シリコン基板１上に層間絶縁膜２０を形成する。さらに、前記層間絶縁膜２０に前記ソース／ドレイン１６に至るコンタクトプラグ２２を形成したのち、この上に配線層２４を形成することで図１に示した構造の半導体集積回路装置が得られる。
【００２８】
この製法における前記第２絶縁膜８のＡＬＤ法による形成に際して、ハフニウム源としては、ＴＥＭＡＨｆ以外に、ＨｆＣｌ４、Ｈｆ［ＯＣ（ＣＨ３）２ＣＨ２ＯＣＨ３］４、Ｈｆ［ＯＣ（ＣＨ３）３］４、Ｈｆ［Ｎ（ＣＨ３）２］４、Ｈｆ［Ｎ（Ｃ２Ｈ５）２］４、Ｈｆ（ＮＯ３）４、Ｈｆ（Ｃ１１Ｈ１９Ｏ２）４などを用いることができる。また、アルミニウム源としては、ＴＭＡ以外にＴＥＡ（トリエチルアルミニウム、Ａｌ（Ｃ２Ｈ５）３、ＤＭＡＨ（ジメチルアルミニウムハライド、Ａｌ（ＣＨ３）２Ｈ）、ＤＭＥＡＡｌ（ジメチルエチルアミン：アラン、ＡｌＨ３：Ｎ（ＣＨ３）２Ｃ２Ｈ５）などが用いられる。
【００２９】
また、前記第２絶縁膜８としてＨｆＯ２膜を成膜する場合には、ＴＭＡを導入する工程は不要である。さらに、前記第２絶縁膜８としてＨｆＳｉＯＮ膜を成膜する場合には、ＴＭＡの代わりに、シリコン源としてテトラキス・エチルメチル・アミノ・シラン、トリス・ジエチル・アミノ・シランなどのアミン系のシリコン原料を導入し、ＨｆＳｉＯｘ膜を形成したのち、アンモニア熱処理またはプラズマ窒化などの方法により窒素を導入する。
【００３０】
また、前記酸化剤としての重水以外に重水素と酸素との組合せ、重水素とオゾンとの組合せを用いることができる。この組合せでは、重水素の混合比率を１〜５０容積％とすることが好ましい。
ここで使用される重水、重水素は、鉄、銅などの金属不純物の含有量の総量が１ｗｔｐｐｍ以下であるものが好ましく、金属不純物の含有量がこれよりも多くなると、第２絶縁膜８のリーク電流が増大し、ＴＤＤＢ（タイム−ディペンダントダイエレクトリックブレイクダウン）の寿命低下など長期信頼性上の問題を引き起こす危険がある。
【００３１】
また、前記シリコン基板と前記ゲート絶縁膜との界面で欠陥数が増加した場合には、前記重水、前記重水素中の鉄、銅などの金属不純物の含有量の総量を合計１０ｗｔｐｐｂ未満とすると、前記界面での界面準位密度が低下するとともに、長期信頼性が改善される、なお、重水には軽水が少々混入していてもよく、重水素には水素が少々混入していてもよい。
【００３２】
さらに、前記第２絶縁膜８の形成の際には、ＮＨ３／Ａｒプラズマを用いる必要は必ずしもない。また、前記第２絶縁膜８の形成には、前記ＡＬＤ法以外にＭＯＣＶＤ法によっても可能である。
さらに、前記第２絶縁膜８に前記重水素を含有させる方法としては、前記第２絶縁膜８の成膜時ではなく、一連の集積回路装置の製造工程における前記活性化アニール工程の後に、重水素雰囲気中で４００〜６００℃、３０分程度のシンタを行うことでも可能である。
【００３３】
このような半導体集積回路装置にあっては、これを構成する電界効果トランジスタの前記第２絶縁膜８に前記重水素が含有されており、前記重水素がシリコン基板界面への重水素供給源として働き、前記基板界面のシリコン・ダングリングボンドの多くが重水素で終端されることになる。重水素は、水素と比べて約２倍の質量を持つため、重水素で終端されたシリコン・ダングリングボンドは、水素で終端されたシリコン・ダングリングボンドに比べて、熱処理や電気的ストレスによる界面準位の増大（水素終端が外れてシリコン・ダングリングボンドになること）が起こりにくい。
【００３４】
そのため、前記シリコン基板１と前記ゲート絶縁膜９との界面での界面準位密度が低下するとともに長期信頼性が改善される。
図８は、前記ＡＬＤ法により重水を酸化剤として使用し成膜したＨｆＡｌＯｘ膜と、水を酸化剤として使用し同条件で成膜したＨｆＡｌＯｘ膜との界面準位密度を測定し、比較して示したものである。
【００３５】
また、図９は、同様に前記ＡＬＤ法により重水を酸化剤として使用し成膜したＨｆＡｌＯｘ膜と、水を酸化剤として使用し同条件で成膜したＨｆＡｌＯｘ膜との界面準位密度をチャージポンピング法により測定して比較したものである。
これらのグラフから、重水素を含有されるＨｆＡｌＯｘ膜は、従来の重水素を含有しないＨｆＡｌＯｘ膜に比べて、界面準位密度が１／２〜１／３に低減していることが明らかである。
【００３６】
また、界面準位密度が減少した効果として、トランジスタのキャリア移動度が向上する。
図１０および図１１は、ＡＬＤ法により重水を酸化剤として使用し成膜したＨｆＡｌＯｘ膜と、水を酸化剤として使用し同条件で成膜したＨｆＡｌＯｘ膜との移動度を測定し、比較して示したものである。
【００３７】
これらのグラフから、重水素を含有するＨｆＡｌＯｘ膜からなるゲート絶縁膜では、従来の重水素を含有しないＨｆＡｌＯｘ膜からなるゲート絶縁膜に比較して移動度が２倍程度にまで改善されていることがわかる。
【００３８】
本発明の重水を用いたＨｆＡｌＯｘ膜の製造方法では、その平均的な堆積速度は、水を用いて成膜したもの比べて約９０％に減少しているが、ＨｆＡｌＯｘ膜のシリコン基板に対する付着量の基板面内での分布は、水を用いて成膜したＨｆＡｌＯｘ膜と同様に均一であることが明らかになった。
【図面の簡単な説明】
【００３９】
【図１】本発明の半導体集積回路装置の一例を示す概略断面図である。
【図２】本発明の半導体集積回路装置の製造工程を示す概略説明図である。
【図３】本発明の半導体集積回路装置の製造工程を示す概略説明図である。
【図４】本発明の半導体集積回路装置の製造工程を示す概略説明図である。
【図５】本発明の半導体集積回路装置の製造工程を示す概略説明図である。
【図６】本発明の半導体集積回路装置の製造工程を示す概略説明図である。
【図７】本発明の半導体集積回路装置の製造工程を示す概略説明図である。
【図８】本発明における効果を示すもので、界面準位密度を比較して示す図表である。
【図９】本発明における効果を示すもので、界面準位密度をイオンポンピング法により測定し、比較して示す図表である。
【図１０】本発明における効果を示すもので、移動度を比較して示す図表である。
【図１１】本発明における効果を示すもので、移動度を比較して示す図表である。
【符号の説明】
【００４０】
８・・・第２絶縁膜
【図１】
2006066706.tif 000003
【図２】
2006066706.tif 000004
【図３】
2006066706.tif 000005
【図４】
2006066706.tif 000006
【図５】
2006066706.tif 000007
【図６】
2006066706.tif 000008
【図７】
2006066706.tif 000009
【図８】
2006066706.tif 000010
【図９】
2006066706.tif 000011
【図１０】
2006066706.tif 000012
【図１１】
2006066706.tif 000013